(57)【要約】【課題】ハンドルユニットの大型化を伴うことなしに、遊技者の興趣を高めることができかつ遊技者が遊技を快適に行うことができる遊技機の打球発射装置を提供すること。【解決手段】本発明の打球発射装置Ｇはハンドルユニット１１を備える。ハンドルユニット１１は、遊技機前面側に着脱可能に接続される本体部１２と、内側に空間部２７を有し本体部１２の遊技者側面を覆うカバー部材１５とを含んで構成される。ハンドルユニット１１は孔３７，３８を有する。また、ハンドルユニット１１は、モータ４１、羽根付き回転体５１等をその内部に備える。羽根付き回転体５１は、回転軸４２に連結され、モータ４１の駆動により回転して風を発生する。羽根付き回転体５１の重心Ｐは、羽根付き回転体５１の回転中心Ｏからずれた位置に設定されている。【選択図】  図３
2004215880.tif 000002
【特許請求の範囲】
【請求項１】
遊技機前面側に着脱可能に接続される本体部と、内側に空間部を有するとともに前記本体部の遊技者側面を覆うカバー部材とを含むハンドルユニットを備えた遊技機の打球発射装置において、
回転軸を有するモータと、
前記回転軸に連結され、前記モータの駆動により回転して風を発生するとともに、自身の回転中心からずれた位置に重心が設定された羽根付き回転体と
を、孔を有するハンドルユニットの内部に備えたことを特徴とする遊技機の打球発射装置。
【請求項２】
前記羽根付き回転体は複数の羽根を有するとともに、それらのうち少なくとも１つの羽根は他の羽根と重さが異なることを特徴とする請求項１に記載の遊技機の打球発射装置。
【請求項３】
前記羽根付き回転体は複数の羽根を有するとともに、それらの羽根同士は前記回転軸を基準として不均等な角度をもって配置されていることを特徴とする請求項１または２に記載の遊技機の打球発射装置。
【請求項４】
遊技機前面側に着脱可能に接続される本体部と、内側に空間部を有するとともに前記本体部の遊技者側面を覆うカバー部材とを含むハンドルユニットを備えた遊技機の打球発射装置において、
孔を有するハンドルユニットの内部に、回転軸を有するモータと、前記回転軸に対して連結され前記モータの駆動により回転して風を発生する複数の羽根部材とを備え、前記複数の羽根部材のうちの少なくとも１つは、前記回転軸に対して着脱可能であることを特徴とする遊技機の打球発射装置。
【請求項５】
遊技機前面側に着脱可能に接続される本体部と、内側に空間部を有するとともに前記本体部の遊技者側面を覆うカバー部材とを含むハンドルユニットを備えた遊技機の打球発射装置において、
孔を有するハンドルユニットの内部に、回転軸を有するモータと、前記回転軸に対して連結され前記モータの駆動により回転して風を発生する複数の羽根部材とを備え、前記複数の羽根部材のうちの少なくとも１つは、前記回転軸の周方向に沿って位置移動可能であることを特徴とする遊技機の打球発射装置。
【発明の詳細な説明】
【０００１】
【発明の属する技術分野】
本発明は、パチンコ機等に代表される遊技機の打球発射装置に係り、詳しくはハンドルユニットを振動させる機能などを有する遊技機の打球発射装置に関するものである。
【０００２】
【従来の技術】
パチンコ機やアレンジボール機に代表される弾球遊技機では、近年、図柄表示装置の図柄を変化させるだけの演出では物足りなくなってきている。このため、図柄の組み合わせがリーチまたは大当りになると打球発射装置のハンドルを振動させてより効果的にリーチ演出または大当り演出をすることで遊技者の興趣を高める、という技術が従来提案されている。このような弾球遊技機としては、例えば、ハンドル内部に振動発生手段を設けて、ハンドルを振動させるようにしたものがある（例えば、特許文献１参照）。かかる振動発生手段は、モータの回転軸に偏心おもりを取り付けることにより構成されている。
【０００３】
またこれとは別に、近年の弾球遊技機においては、遊技者の興趣向上ばかりでなく、遊技者がより快適に遊技を行いうるような改良も図られている。その例として、ハンドル内部に送風手段を設けた遊技機が従来提案されている（例えば、特許文献２参照）。かかる送風手段は、モータの回転軸に複数の羽根を有するプロペラを取り付けることにより構成されていて、モータの駆動に伴うプロペラの回転によって遊技者の掌に風を送るようになっている。
【０００４】
【特許文献１】
特開２０００−３００７３９号公報
【０００５】
【特許文献２】
特開平６−１２１８６６号公報
【０００６】
【発明が解決しようとする課題】
ところが、上述した２つの機能、つまりハンドル振動機能及び送風機能の両者を併せ持つ遊技機の打球発射装置は、今のところ提案されるに至っていない。そこで単純には、上記特許文献１記載の振動発生手段と、上記特許文献２記載の送風手段とを１つのハンドル内に収容することも考えられる。
【０００７】
しかしこの構成では、ハンドル全体の大型化が避けられず、それに伴ってハンドルの操作性や、遊技機全体のデザイン性が低下する。また、現状サイズのハンドル内の限られたスペースに前記振動発生手段及び前記送風手段を無理に収容しようとすると、少なくとも一方の手段を小規模にせざるを得なくなる。従って、遊技者の興趣向上につながる十分な振動を発生できなくなったり、遊技者が快適さを感じる十分な風を発生できなくなったりするという問題が生じる。
【０００８】
本発明は上記の課題に鑑みてなされたものであり、その目的は、ハンドルユニットの大型化を伴うことなしに、遊技者の興趣を高めることができかつ遊技者が遊技を快適に行うことができる遊技機の打球発射装置を提供することにある。
【０００９】
【課題を解決するための手段】
上記の課題を解決するために、請求項１に記載の発明は、遊技機前面側に着脱可能に接続される本体部と、内側に空間部を有するとともに前記本体部の遊技者側面を覆うカバー部材とを含むハンドルユニットを備えた遊技機の打球発射装置において、回転軸を有するモータと、前記回転軸に連結され、前記モータの駆動により回転して風を発生するとともに、自身の回転中心からずれた位置に重心が設定された羽根付き回転体とを、孔を有するハンドルユニットの内部に備えたことを特徴とする遊技機の打球発射装置をその要旨とする。
【００１０】
従って、請求項１に記載の発明によると、モータの駆動によって羽根付き回転体が回転すると、羽根が周囲の空気を所定方向に移動させることにより、風を発生させる。そして、その風は孔を介してハンドルユニット外部に送り出される。また、前記羽根付き回転体は重心がずれて（偏心して）いて重量のバランスがとれていないため、モータ駆動時には重心が回転軸の周囲を旋回し、これにより振動も発生する。つまり、かかるモータ及び羽根付き回転体の組み合わせによって、ハンドル振動機能及び送風機能の両方を実現することができる。ゆえに、遊技者の興趣を高めることができ、かつ遊技者が遊技を快適に行うことが可能となる。さらに、前記モータ及び羽根付き回転体の組み合わせはハンドル振動手段及び送風手段を兼ねるものであるため、ハンドル振動手段及び送風手段をそれぞれ別個にした場合に比べて、コンパクトに構成することが可能である。従って、かかるモータ及び羽根付き回転体については、ハンドルユニット内部の限られたスペースに困難なく収容でき、それゆえハンドルユニット全体の大型化を回避することができる。
【００１１】
本発明においてモータ及び羽根付き回転体は、ハンドルユニットの内部に備えられていればよく、その設置場所は特に限定されない。モータ及び羽根付き回転体は、例えば、本体部内側のスペースやカバー部材内側のスペース（即ち空間部）などに設置可能である。
【００１２】
モータの駆動時には羽根付き回転体が回転して振動を発生するが、カバー部材内側のスペースに羽根付き回転体等を設置しておけば、振動発生源である羽根付き回転体等が遊技者の手から比較的近くなる。このため、羽根付き回転体が発生した振動がモータを介してカバー部材等に効率よく伝達し、本体部内側のスペースに羽根付き回転体等を設置した場合に比べて振動伝達経路も短くなる。
【００１３】
前記羽根付き回転体の形式は特に限定されず、振動及び風の両方を発生しうるものであれば任意のものであってよい。かかる羽根付き回転体の好適な例としては、複数の羽根が回転軸を基準として放射状に異なる方向に延びており、回転軸方向に風を発生するプロペラ式の羽根付き回転体などを挙げることができる。勿論、プロペラ式以外のものを採用しても何ら差し支えなく、例えば、円盤の片側面に複数の羽根を固定した形式の回転体などであっても構わない。
【００１４】
ここで「羽根」とは、ある程度の面積を有する板状構造物であって、回転軸に直交する平面に対して角度を有しているものを指す。回転軸に直交する平面に対して角度を有していれば、回転時に振動を発生させることができ、かつ風を効率よく発生させることもできるからである。
【００１５】
なお、羽根の数は特に限定されず１つ以上であれば足りるが、送風能力の確保という観点からすると複数であることが好ましい。
【００１６】
羽根付き回転体自身の回転中心からずれた（偏心した）位置に重心を設定する手法としては特に限定されないが、羽根付き回転体の好適な例としては下記のようなものがある。即ち、Ａ）複数の羽根を有するとともに、それらのうち少なくとも１つの羽根の重さが他の羽根の重さと異なるもの（請求項２）、Ｂ）羽根を１つのみを有するもの、Ｃ）複数の羽根を有するとともに、それらの羽根同士が回転軸を基準として不均等な角度をもって配置されているもの（請求項３）、を挙げることができる。
【００１７】
例えば、羽根の重さがみな等しくてかつ羽根同士が回転軸を基準として均等な角度をもって配置されている場合、風は発生しても十分な振動は発生しない。これに対して上記Ａ），Ｂ），Ｃ）の構成によると、羽根付き回転体の重心が偏心して重量バランスが崩れるので、部品の増加などを伴わずに所望の振動を確実に発生させることができる。
【００１８】
なお、上記Ａ）における具体例を挙げるとすると、２枚の羽根を有するとともに一方の羽根が他方の羽根よりも重い構成、３枚の羽根を有するとともに１枚の羽根が他の２枚の羽根よりも重い（または軽い）構成、３枚の羽根を有するとともにそれらの羽根の重さが全て異なる構成、４枚の羽根を有するとともに１枚の羽根が他の３枚の羽根よりも重い（または軽い）構成、４枚の羽根を有するとともに隣接する２枚の羽根が他の２枚の羽根よりも重い（または軽い）構成、４枚の羽根を有するとともにそれらの羽根の重さが全て異なる構成、などがある。このような構成であると、相対的に重い羽根が延びている方面に重心がシフトする。
【００１９】
例えば同じ形状及び同じ大きさの羽根が複数ある場合、比重の異なる材質を選択して、重さの異なる複数の羽根を構成すればよい。同じ形状及び同じ材質の羽根が複数ある場合、羽根の大きさを変えて、重さの異なる複数の羽根を構成すればよい。勿論、大きさ及び材質の異なる羽根を選択して、重さの異なる複数の羽根を構成しても構わない。
【００２０】
上記Ｃ）における具体例を挙げるとすると、２枚の羽根を有し、それらの羽根同士が回転軸を基準として１８０°未満の任意の角度と、１８０°を超える任意の角度とをもって配置されている構成を挙げることができる。また、３枚の羽根を有し、それらの羽根同士が回転軸を基準として１２０°でない任意の角度を１つ以上含んで配置されている構成を挙げることができる。さらに、４枚の羽根を有し、それらの隣接する羽根同士が回転軸を基準として９０°でない任意の角度を１つ以上含んで配置されている構成を挙げることができる。このような構成であると、羽根が密集している方面に重心がシフトする。
【００２１】
請求項４に記載の発明は、遊技機前面側に着脱可能に接続される本体部と、内側に空間部を有するとともに前記本体部の遊技者側面を覆うカバー部材とを含むハンドルユニットを備えた遊技機の打球発射装置において、孔を有するハンドルユニットの内部に、回転軸を有するモータと、前記回転軸に対して連結され前記モータの駆動により回転して風を発生する複数の羽根部材とを備え、前記複数の羽根部材のうちの少なくとも１つは、前記回転軸に対して着脱可能であることを特徴とする遊技機の打球発射装置をその要旨とする。
【００２２】
従って、請求項４に記載の発明によると、複数の羽根部材のうちの少なくとも１つを回転軸に対して装着した状態と、取り外した状態とを選択することができる。仮に、複数の羽根部材の全てを装着した状態で回転軸を基準とした全体の重量バランスがとれているとすると、このときには複数の羽根部材によって主に風のみが発生する。また、前記羽根部材を取り外すと重量バランスが崩れるため、モータの駆動によりブレが生じることとなり、風に加えて振動も発生する。従って、ハンドルユニットの交換を伴わずに、振動の態様（即ち振動の強さや周期など）や振動の有無を任意に選択することができる。さらに、前記モータ及び羽根部材の組み合わせはハンドル振動手段及び送風手段を兼ねるものであるため、ハンドル振動手段及び送風手段をそれぞれ別個にした場合に比べて、コンパクトに構成することが可能である。従って、かかるモータ及び羽根部材については、ハンドルユニット内部の限られたスペースに困難なく収容でき、それゆえハンドルユニット全体の大型化を回避することができる。
【００２３】
請求項５に記載の発明は、遊技機前面側に着脱可能に接続される本体部と、内側に空間部を有するとともに前記本体部の遊技者側面を覆うカバー部材とを含むハンドルユニットを備えた遊技機の打球発射装置において、孔を有するハンドルユニットの内部に、回転軸を有するモータと、前記回転軸に対して連結され前記モータの駆動により回転して風を発生する複数の羽根部材とを備え、前記複数の羽根部材のうちの少なくとも１つは、前記回転軸の周方向に沿って位置移動可能であることを特徴とする遊技機の打球発射装置をその要旨とする。
【００２４】
従って、請求項５に記載の発明によると、複数の羽根部材のうちの少なくとも１つを、回転軸の周方向に沿って基本位置から移動させた状態と、基本位置から移動させていない状態（基本位置にある状態）とを選択することができる。仮に、複数の羽根部材の全てが基本位置にある状態で回転軸を基準とした全体の重量バランスがとれているとすると、このときには複数の羽根部材によって主に風のみが発生する。また、前記羽根部材を基本位置から移動させると重量バランスが崩れるため、モータの駆動によりブレが生じることとなり、風に加えて振動も発生する。従って、ハンドルユニットの交換を伴わずに、振動の態様（即ち振動の強さや周期など）や振動の有無を任意に選択することができる。さらに、前記モータ及び羽根部材の組み合わせはハンドル振動手段及び送風手段を兼ねるものであるため、ハンドル振動手段及び送風手段をそれぞれ別個にした場合に比べて、コンパクトに構成することが可能である。従って、かかるモータ及び羽根部材については、ハンドルユニット内部の限られたスペースに困難なく収容でき、それゆえハンドルユニット全体の大型化を回避することができる。
【００２５】
前記羽根部材の形式は特に限定されず、振動及び風の両方を発生しうるものであれば任意のものであってよい。かかる羽根部材の好適な例としては、プロペラにおける１枚の羽根に相当するような板状構造物などが挙げられる。なお、羽根部材は、回転軸に直交する平面に対して角度を有している必要がある。回転軸に直交する平面に対して角度を有していれば、回転時に振動を発生させることができ、かつ風も効率よく発生させることができるからである。
【００２６】
また、前記羽根部材は、羽根本体と、その羽根本体の基端部に設けられ前記回転軸に連結される連結部とを有することがよい。前記連結部の具体例としては、例えば回転軸が嵌挿可能な大きさ及び形状の嵌合孔を持つ嵌合部などが挙げられる。また、回転軸の外周面を挟持する挟持部や、回転軸の外周面に形成された被係止部に係止される係止部などであってもよい。
【００２７】
前記回転軸を軸線方向に直交する面で切ったときの断面の形状は、特に限定されないが、請求項５に記載の発明の構成を採用する場合には正多角形状（正三角形状、正方形状、正五角形状、正六角形状、正七角形状、正八角形状、正十角形状、正十二角形状など）であることが好ましい。このような断面形状であると、羽根部材の回り止めを図りやすくなる。即ち、羽根部材を回転軸の周方向に沿って移動させた後に羽根部材をその位置に確実に保持することができる。なお、正多角形の有する角の数が増えれば、羽根部材を回転軸の周方向に沿って移動させる際の角度を小刻みにできるため、移動位置の微調整が可能となる。
【００２８】
また、前記回転軸に前記羽根部材を連結した状態において、回転軸にはキャップ等のような羽根部材脱落防止部材が装着されることがよい。これにより羽根部材の脱落が確実に防止されるからである。
【００２９】
本発明のハンドルユニットは、ユニット内外を連通する孔を有している必要がある。かかる孔は１つであっても複数であってもよいが、下記の理由により複数であることが好ましい。
【００３０】
即ち、羽根付き回転体または羽根部材の回転時には、一部の孔を介してユニット外の空気がユニット内に吸い込まれ、他の孔を介して空気がユニット外に排出される。よって、１つの孔しか設けられていない場合に比べて、ユニット内における空気の流れがスムーズになり、風が起こりやすくなるからである。
【００３１】
ここで前記孔は、ユニット内外を連通していて空気を通過しうる構造であればよく、その形状、大きさ、配置などについては特に限定されない。具体例を挙げると、孔の形状は円形状、四角形状、三角形状、スリット状など、任意のものであってよい。また、ハンドルユニットの外郭を構成する部材（即ち本体部やカバー部材など）自体を、多孔質体を用いて構成してもよい。
【００３２】
前記羽根付き回転体または羽根部材の発生する風の方向は特に限定されず、目的に応じて任意の方向に設定することが可能である。言い換えると、吸気孔の位置及び排気孔は任意の位置に設定することができる。具体例としては、１）吸気孔をカバー部材における所定位置に設けかつ排気孔をカバー部材における別の位置に設けた構成、２）吸気孔を本体部における所定位置に設けかつ排気孔を本体部における別の位置に設けた構成、３）吸気孔を本体部に設けかつ排気孔をカバー部材に設けた構成、４）吸気孔をカバー部材に設けかつ排気孔を本体部に設けた構成、などがある。もっとも、この場合において前記孔は、少なくともカバー部材側に設けられていること、即ち前記１），３），４）のいずれかの構成であることが好ましい。
【００３３】
遊技者は通常カバー部材を手で覆うようにしてハンドルユニットを持つため、長時間遊技を行っていると、手の内側の温度上昇によってそこに汗をかきやすくなり、ハンドルユニットが滑りやすくなる等して、快適に遊技を継続しにくくなる。しかしながら、カバー部材の表面付近に空気の流れがあると、風によって汗が気化することで乾燥状態が保たれるとともに、そのときの気化熱によって手に涼しさを感じることができるため、快適さの向上を達成しやすくなる。
【００３４】
ここで、前記カバー部材はユニット内外を連通する吸気孔を有する一方、前記本体部はユニット内外を連通する排気孔を有することが好ましい。
【００３５】
この構成によると、羽根付き回転体または羽根部材の回転時には、カバー部材に設けられた吸気孔を介して、カバー部材の表面付近の空気がユニット内に吸い込まれる。ユニット内に取り込まれた空気は、カバー部材側から本体部側に向かって（ユニット先端部からユニット基端部に向かって）流れる。そして、前記空気は、本体部に設けられた排気孔を介して、ユニット外に排出される。よって、ユニット内をカバー部材側から本体部側に向かう空気の流れがスムーズになり、上記方向に風が起こりやすくなる。
【００３６】
また、駆動によってモータの温度が上昇したとしても、その熱を空気とともに本体部側からユニット外に排出することができる。従って、モータの過熱を防止してモータの長寿命化を図ることができる。さらにこの構成によると、遊技者の掌に生暖かい風が直接当たることがなく、しかも遊技者の掌付近の空気が吸い込まれることで手の熱が奪われるため、遊技者は掌に心地よい涼しさを感じることができる。
【００３７】
ここで前記モータは、羽根付き回転体または羽根部材を回転させることが可能であればよく、その形式等は特に限定されない。また、モータを回転駆動させるためのモータ駆動手段についても特に限定されず、例えば、モータを１方向のみに回転駆動可能なモータ駆動手段を用いてもよく、あるいはモータを正転及び逆転の２方向に回転駆動可能なモータ駆動手段を用いてもよい。なお、モータを逆転させれば、発生する風の方向を逆向きにすることができる。また、前記モータの取付位置や取付方向についても基本的には任意であり特に限定されない。例えば、モータをハンドルユニットの外郭を構成する部材（即ち本体部やカバー部材など）の内壁面に直接的に取り付けたり、取付具を用いて当該内壁面に間接的に取り付けたりすることもできる。かかる本体部及びカバー部以外の部材（例えば少なくとも回動操作によって遊技球の発射強度を調整する回動操作部材であるハンドルグリップなど）があるような場合には、その部材に対してモータを直接的または間接的に取り付けることも許容される。
【００３８】
前記モータは、ハンドルユニットを構成する部材（例えば本体部、カバー部材、ハンドルグリップなど）に取り付けることができる。
【００３９】
例えば、前記モータを前記カバー部材に取り付けた場合、羽根付き回転体または羽根部材が発生した振動は、モータを介してカバー部材に伝達する。しかも、振動発生源である羽根付き回転体または羽根部材が遊技者の手に近くなるため、振動伝達経路自体も短くなる。以上のことから、遊技者の掌に対して振動を効率よく的確に伝達することができる。
【００４０】
前記モータをハンドルグリップに取り付けた場合、羽根付き回転体または羽根部材が発生した振動は、モータを介してハンドルグリップに伝達する。かかるハンドルグリップは、遊技者が常時指を掛けている部分であるため、この構成によれば前記振動を遊技者の指に効率よく的確に伝達することができる。
【００４１】
【発明の実施の形態】
［第１の実施の形態］
【００４２】
以下、本発明の遊技機の打球発射装置を具体化した一実施形態のパチンコ機用ハンドルユニット１１を、図１〜図５に基づき詳細に説明する。まず本実施形態のパチンコ機の基本的構成を簡単に説明する。
【００４３】
図１に概略的に示されるように、このパチンコ機は機体の外郭をなす縦長方形の外枠Ａを備えている。外枠Ａの開口前面側には、各種の遊技用構成部材をセットするための縦長方形の中枠（図示略）が、開閉可能かつ着脱可能に組み付けられている。そして、この中枠の前面側には、遊技盤Ｂの透視保護窓である前枠Ｄと、上の球受け皿Ｅとが、個々の連結支持手段等を利用してともに横開き形態で開閉可能に組み付けられている。その一方で、中枠の下部には下の球受け皿Ｆと打球発射装置Ｇとがセットされている。また中枠の裏側には、各種の球経路及び球処理払出部等を備えた機構セット盤（図示略）がセットされている。なお、図中Ｈは球貸しシステムに利用されるカードユニットを示している。
【００４４】
このように構成されたパチンコ機では、上記中枠に、前述した前枠Ｄ、上下の球受け皿Ｅ，Ｆ、打球発射装置Ｇ、遊技盤Ｂ及び各種の付属部品等の遊技用構成部材がセットされて１台単位に構成されている。即ち、遊技者が通常の打球発射操作を行うことにより、上の球受け皿Ｅ内の遊技球を１球ずつ発射レール１の発射位置に送り込み、それを所望の強度で適宜に打ち出すことによって、遊技盤Ｂ内でパチンコゲームを展開することができる。
【００４５】
さて次に、本実施形態の特徴的構成である打球発射装置Ｇの構成について詳細に説明する。
【００４６】
打球発射装置Ｇは、打球操作に基づいて上の球受け皿Ｅから球送り部を介して発射レール１に送り込まれた遊技球を打ち出すための装置であって、中枠の右下部に装備されている。なお、本実施形態ではロータリーソレノイド駆動形式の打球発射装置Ｇが採用されている。
【００４７】
前記打球発射装置Ｇは、ユニット化された打球操作部であるハンドルユニット１１と、打球駆動部（図示略）と、駆動制御部（図示略）と、球送り部（図示略）とを基本構成として備えている。
【００４８】
中枠の前盤部の裏側にセットされる打球駆動部は、ハンドルユニット１１での操作入力条件に基づいてパルス制御されるロータリーソレノイドを備えている。ソレノイドの回動軸の後端には打球杆が連結されている。打球杆は、ソレノイドのパルス通電励磁毎に打球始端から打球終端の範囲を回動変位し、発射レール１の発射位置にある遊技球を打ち出すようになっている。打球駆動部の裏側に着脱可能にセットされる駆動制御部は、ロータリーソレノイド等の入出力制御（ハード的制御、ソフト的制御）を行うように構成されている。
【００４９】
図２、図３、図４に示されるように、本実施形態のハンドルユニット１１は、本体部１２、ハンドルグリップ１４、ハンドルキャップ１５等の主要部品を同一軸線上に互いに組み付けてユニット化した構造となっている。
【００５０】
合成樹脂材料により形成された本体部１２は、円筒部１２ａの一方側にかさ状部１２ｂを設けた形状を呈している。円筒部１２ａの内部には、コネクタブロック１６及び回動調整式の可変抵抗器（ボリュームスイッチ）１７が収容されている。略円柱状に形成されたコネクタブロック１６は、本体部１２の後端側（即ちかさ状部１２ｂがない側）に挿入配置されている。コネクタブロック１６は、集合コネクタ部１６ａと、モータ用コネクタ部１６ｂとを有しており、それらのコネクタ部１６ａ，１６ｂには各々ハンドルグリップ１４の回動軸Ｃ方向に沿って平行に延びる端子１８が配設されている。
【００５１】
パチンコ機本体の前面にある下の球受け皿Ｆの右側には、図示しないユニット装着用スリーブが突設されている。そのスリーブの内奥部には図示しないコネクタ部が配置され、このコネクタ部にはパチンコ機本体側にある電気的構成（駆動制御部）が接続されている。前記スリーブに対しては、本体部１２の基端側が直接嵌挿されかつビスにより固定される。このようなユニット装着時においては、コネクタ部１６ａ，１６ｂとパチンコ機本体側コネクタ部とが連結される。勿論、ビスを外せばスリーブから本体部１２を容易に離脱させることができる。
【００５２】
図３に示されるように、ハンドルグリップ１４の回動量を電気抵抗値に変換するための可変抵抗器１７は、本体部１２においてコネクタブロック１６よりもユニット先端側（即ち遊技者側）の位置に配設されている。可変抵抗器１７の調整軸１７ａは、ハンドルユニット１１の前方側に向けられるとともに、ハンドルグリップ１４の回動軸Ｃと同軸上に配設されている。可変抵抗器１７は図示しない配線を介して集合コネクタ部１６ａの端子１８に電気的に接続されている。
【００５３】
かさ状部１２ｂの内面側における所定箇所には、ソレノイドに対するスイッチ（図示略）及びそのスイッチをオンオフするためのスイッチ操作レバー２０が配設されている。かさ状部１２ｂの外周縁には、金属製のまたは表面が金属メッキされたタッチ感知環２１が取り付けられている。タッチ感知環２１はタッチセンサの構成部材であり、これに遊技者の手の一部が触れていることを１つの条件として遊技球が発射されるようになっている。
【００５４】
図２、図３、図４に示されるように、合成樹脂材料からなるハンドルグリップ１４はハンドルユニット１１における可動部分であって、円盤状に形成された本体部分１４ａの外周部３箇所に指掛け部である発射レバー２３を突設した構造を有している。ハンドルグリップ１４におけるユニット先端面側中心部には筒状部２４が突設されており、その部分においてハンドルグリップ１４と可変抵抗器１７の調整軸１７ａとが一体回動可能に連結されている。遊技球の発射強度は、ハンドルグリップ１４を所定方向（即ち図４の反時計回り方向）に回動させることによって、ハンドルグリップ１４の回動量を調整して可変抵抗器１７の抵抗値を変化させることにより調整可能である。図示しないが、ハンドルグリップ１４の先端面側には、ハンドルグリップ１４を図４の反時計回り方向へ回動復帰させるための捩りばねが配置されている。また、ハンドルグリップ１４の本体部分１４ａには、ハンドルグリップ１４の先端面側と基端面側とを連通させる複数の略円弧状スリット２６が形成されている。
【００５５】
図２、図３、図４に示されるように、本体部１２の遊技者側面（即ち先端側面）を覆うためのカバー部材であるハンドルキャップ１５は、合成樹脂材料により形成された略半球状の部材であって、一般的には人の掌に納まる程度の大きさとされている。このハンドルキャップ１５は内側に略半球状の空間部２７を有している（図３参照）。
【００５６】
また、図２、図３、図４に示されるように、このハンドルユニット１１はユニット内外を連通する孔を複数有している。より具体的には、ハンドルキャップ１５には吸気孔３７が複数設けられる一方、本体部１２には排気孔３８が複数設けられている。本実施形態の吸気孔３７及び排気孔３８はともに略円形状であって、ともに散点的に配置されている。
【００５７】
次に、このハンドルユニット１１におけるハンドル振動手段及び送風手段について述べる。
【００５８】
図３、図４、図５に示されるように、このハンドルユニット１１は、モータ４１及びプロペラ式の羽根付き回転体（以下、単に「プロペラ」と呼ぶ。）５１を備えており、基本的にこれら２つの部材を用いてハンドル振動手段及び送風手段の両方が構成されている。
【００５９】
モータ４１はその中心部に回転軸４２を有している。モータ４１はモータホルダ４３によって全体的に覆われるようにして保持されている。モータホルダ４３の外周部における複数箇所には、突片状のねじ挿通部４４が形成されている。そして、これらのねじ挿通部４４の透孔４７にねじ４５を挿通することにより、ボス部３３の上端面にモータホルダ４３が固定されている。つまり本実施形態では、ハンドルキャップ１５内側の空間部２７に配置されたモータ４１が、モータホルダ４３を介してハンドルグリップ１４の先端面側に固定されている。かかる固定状態においてモータ４１の回転軸４２はハンドルグリップ１４の回動軸Ｃと同軸上に位置しており、回転軸４２の先端はユニット先端部側を向いている。
【００６０】
図５に示されるように、本実施形態において使用するプロペラ５１は、回転軸４２との連結部分である基部５１ｄに、３枚の羽根５１ａ，５１ｂ，５１ｃを突設した構造を有している。基部５１ｄの下端には図示しない嵌合穴が設けられており、この嵌合穴には回転軸４２が嵌合可能となっている。３枚の羽根５１ａ，５１ｂ，５１ｃ同士は、プロペラ５１の回転軸（プロペラ５１の回転中心Ｏ）を基準として互いに１２０°の角度をもって（つまり均等な角度をもって）配置されている。また、このプロペラ５１は鉄製の一体成形品であるため、３枚の羽根５１ａ，５１ｂ，５１ｃはいずれも同じ材質からなる。ただし、３枚の羽根５１ａ，５１ｂ，５１ｃのうち、１枚の羽根５１ａは、他の２枚の羽根５１ｂ，５１ｃよりも相対的に小さく（長さが短くて平面視での面積が小さく）なっている。従って、当該小さな羽根５１ａの重さは、他の大きな２枚の羽根５１ｂ，５１ｃの重さよりも軽くなっている。このため、このプロペラ５１の場合、自身の回転中心Ｏからずれた位置に重心Ｐが設定されている。図５では、相対的に重い羽根５１ｂ，５１ｃが延びている方面に重心Ｐがシフトした様子を示している。
【００６１】
なお、このような重心偏心構造を有するプロペラ５１は、例えば、重心が偏心していない（即ち回転軸と重心とが一致している）通常構造の３枚羽根プロペラにおける１枚の羽根の先端部を除去すること等により、極めて簡単に製造することが可能である。この場合、羽根の先端部を除去する手法としては、例えば切断等の機械的加工を採用することができる。
【００６２】
次に、上記のように構成されたハンドルユニット１１の動作を説明する。
【００６３】
ハンドルユニット１１をパチンコ機本体側のスリーブに装着した状態で、図示しないモータドライバ回路を介してモータ４１へ通電を行うと、回転軸４２とともにプロペラ５１が所定方向に回転する。前記プロペラ５１は回転中心Ｏから重心Ｐがずれて（偏心して）いて重量のバランスがとれていない。そのため、モータ４１の駆動時には重心Ｐが回転軸４２の周囲を旋回し、その結果として好適な振動が発生する。つまり、本実施形態においてプロペラ５１は、いわゆる偏心おもりとしての役割を果たす。そして、プロペラ５１にて発生した振動は、モータ４１、モータホルダ４３、ボス部３３を介してハンドルグリップ１４に伝達し、さらには遊技者の手によって感知される。ハンドルグリップ１４は遊技者が常時指を掛けている部分であるため、遊技者の指には振動が効率よく的確に伝達される。
【００６４】
従って、かかるモータ４１への通電を、例えば図柄の組み合わせがリーチまたは大当りになったときに行えば、ハンドルユニット１１に振動が生じる結果、より効果的にリーチ演出または大当り演出をすることができる。よって、このような演出により遊技者の興趣を大いに高めることができる。
【００６５】
加えて、モータ４１への通電によってプロペラ５１が回転すると、ハンドルキャップ１５に設けられた吸気孔３７を介して、ハンドルキャップ１５の表面付近の空気がハンドルユニット１１内に吸い込まれる。ハンドルユニット１１内に取り込まれた空気は、図３にて太線矢印で示すように、ハンドルキャップ１５側から本体部１２側に向かって（ユニット先端部からユニット基端部に向かって）流れる。そして、前記空気は、本体部１２のかさ状部１２ｂに設けられた排気孔３８を介して、ハンドルユニット１１外に排出される。よって、遊技者は手に振動を感じるばかりでなく、心地よい涼しさも感じることができる。
【００６６】
従って、本実施形態によれば以下のような効果を得ることができる。
【００６７】
（１）本実施形態のハンドルユニット１１によれば、モータ４１及びプロペラ５１の組み合わせによって、ハンドル振動機能及び送風機能の両方を実現することができる。ゆえに、遊技者の興趣を高めることができ、かつ遊技者が遊技を快適に行うことが可能となる。さらに、前記モータ４１及びプロペラ５１の組み合わせはハンドル振動手段及び送風手段を兼ねるものであるため、ハンドル振動手段及び送風手段をそれぞれ別個にした場合に比べて、コンパクトに構成することが可能である。従って、かかるモータ４１及びプロペラ５１については、ハンドルユニット１１内部の限られたスペースに困難なく収容可能である。それゆえ、ハンドルユニット１１全体の大型化を回避することができる。
【００６８】
（２）本実施形態のハンドルユニット１１では、モータ４１及びプロペラ５１がハンドルキャップ１５の内側のスペース（空間部２７）に設置されている。ゆえに、振動発生源であるプロペラ５１等が遊技者の手から比較的近くなる。このため、発生した振動は、モータ４１等を介してハンドルキャップ１５に効率よく伝達する。よって、プロペラ５１等を本体部１２の内側のスペースに設置した場合に比べて振動伝達経路が短くなり、ハンドルユニット１１の振動を確実に遊技者に伝達させることができる。
【００６９】
（３）また、本実施形態のハンドルユニット１１によれば、ハンドルキャップ１５の表面付近に空気の流れが生じ、ハンドルキャップ１５側から本体部１２側に向かう風が生じる。よって、この風によって手の汗が気化することで乾燥状態が保たれるとともに、気化熱が奪われる。このとき、遊技者の掌に生暖かい風が直接当たることもない。従って、快適さをいっそう向上することができるとともに、風の発生を遊技演出の一つとして用いることにより興趣の向上を図ることができる。加えて、上記ハンドルユニット１１によれば、駆動によってモータ４１の温度が上昇したとしても、その熱を空気とともに本体部１２側からユニット外に排出することができる。従って、モータ４１の過熱を防止してモータ４１の長寿命化を図ることができる。
【００７０】
（４）本実施形態のハンドルユニット１１は、１枚の羽根５１ａが他の２枚の羽根５１ｂ，５１ｃよりも小さく（軽く）なったプロペラ５１を用いて構成されている。そして、このような構造のプロペラ５１であれば、通常のプロペラを機械加工することで比較的簡単にかつ安価に製造することができ、ひいてはハンドルユニット１１を比較的簡単にかつ安価に製造することができる。
【００７１】
［第２の実施の形態］
次に、図６、図７に基づいて第２の実施形態のパチンコ機用ハンドルユニット１１を説明する。ここでは、第１の実施形態のハンドルユニット１１と相違する構成（プロペラ５２）について説明する一方、共通する構成については同じ部材番号を付すのみとし、詳細な説明を省略するものとする。
【００７２】
基本的に前記第１の実施形態では、プロペラ５１の羽根５１ａ，５１ｂ，５１ｃの材質を同一にする反面、その大きさを異ならせることにより、重量に差異を設けていた。これに対し、第２の実施形態では、プロペラ５２の羽根５２ａ，５２ｂ，５２ｃの重量に差異を設ける手法として、別の手法を採用している。
【００７３】
ここでは、均等な角度（１２０°）をもって配置された３つの羽根５２ａ，５２ｂ，５２ｃの大きさを同一にする反面、羽根５２ａ，５２ｂ，５２ｃの材質を異ならせることにより、重量に差異を設けている（図６，図７参照）。具体的には、１枚の羽根５２ａについては相対的に重い材料である鉄を用いて構成する反面、他の２枚の羽根５２ｂ，５２ｃについては相対的に軽い材料であるアルミニウムを用いて構成している。その結果、このプロペラ５２の場合、自身の回転中心Ｏからずれた位置に重心Ｐが設定されている。図７は、相対的に重い羽根５２ａが延びている方面に重心Ｐがシフトした様子を示している。また、図６，図７では、便宜上、鉄製の羽根５２ａに網掛けのハッチングを施している。
【００７４】
そして、かかるプロペラ５２を備える本実施形態のハンドルユニット１１であっても、第１の実施形態と同様の作用効果（即ち先に列挙した（１）、（２）、（３）の作用効果）を奏することができる。これに加え、本実施形態のプロペラ５２は、第１の実施形態のプロペラ５１に比べて３枚の羽根５２ａ，５２ｂ，５２ｃの投影面積が大きいので、より送風能力に優れたものとなっている。
【００７５】
［第３の実施の形態］
次に、図８に基づいて第３の実施形態のパチンコ機用ハンドルユニット１１を説明する。ここでも、第１の実施形態のハンドルユニット１１と相違する構成（プロペラ５３）について説明する一方、共通する構成については同じ部材番号を付すのみとし、詳細な説明を省略するものとする。
【００７６】
図８に示されるように、本実施形態にて用いられるプロペラ５３は、大きさ及び重さの等しい３つの羽根５３ａ，５３ｂ，５３ｃを有している。ただし、このプロペラ５３の場合、３枚の羽根５３ａ，５３ｂ，５３ｃが均等な角度（１２０°）をもって配置されていない。具体的には、羽根５３ａと羽根５３ｂとがなす角度（図８のθ１参照）が１５０°、羽根５３ｂと羽根５３ｃとがなす角度（図８のθ２参照）が１５０°、羽根５３ｃと羽根５３ａとがなす角度（図８のθ３参照）が６０°となっている。つまり、３枚の羽根５３ａ，５３ｂ，５３ｃ同士が回転軸（プロペラ５３の回転中心）を基準として１２０°でない任意の角度を含んで配置されている。その結果、このプロペラ５３においても、自身の回転中心からずれた位置に重心Ｐが設定されている。図８は、羽根５３ａ，５３ｃが密集している方面（別の言い方をすると、羽根５３ｂの延びる方向と反対方向）に重心Ｐがシフトした様子を示している。
【００７７】
そして、かかるプロペラ５３を備える本実施形態のハンドルユニット１１であっても、第１の実施形態と同様の作用効果（即ち先に列挙した（１）、（２）、（３）の作用効果）を奏することができる。しかも、本実施形態のプロペラ５３は、第１の実施形態のプロペラ５１に比べて３枚の羽根５３ａ，５３ｂ，５３ｃの投影面積が大きいので、より送風能力に優れたものとなっている。
【００７８】
［第４の実施の形態］
次に、図９に基づいて第４の実施形態のパチンコ機用ハンドルユニット１１を説明する。ここでも、第１の実施形態のハンドルユニット１１と相違する構成（プロペラ５４）について説明する一方、共通する構成については同じ部材番号を付すのみとし、詳細な説明を省略するものとする。
【００７９】
第１の実施形態のプロペラ５１は３枚の羽根５１ａ，５１ｂ，５１ｃを有していたのに対し、図９に示されるように、本実施形態のプロペラ５４は２枚の羽根５４ａ，５４ｂを有したものとなっている。なお、２枚の羽根５４ａ，５４ｂの大きさ及び重さは等しい。その一方で、２枚の羽根５４ａ，５４ｂがなす角度θ１，θ２は不均等であり、θ１＝１２０°、θ２＝２４０°に設定されている。例えば、このような構造のプロペラ５４は、重心が偏心していない通常構造の３枚羽根プロペラにおける１枚の羽根を全部除去すること等により、極めて簡単に製造することが可能である。その結果、得られるプロペラ５４は、自身の回転中心Ｏから重心Ｐがずれたものとなる（図９参照）。
【００８０】
そして、かかるプロペラ５４を備える本実施形態のハンドルユニット１１であっても、第１の実施形態と同様の作用効果（即ち先に列挙した（１）、（２）、（３）、（４）の作用効果）を奏することができる。
【００８１】
［第５の実施の形態］
次に、図１０〜図１２に基づいて第５の実施形態のパチンコ機用ハンドルユニット１１を説明する。ここでも、第１の実施形態のハンドルユニット１１と相違する構成について説明する一方、共通する構成については同じ部材番号を付すのみとし、詳細な説明を省略するものとする。
【００８２】
第１の実施形態では、プロペラ５１とモータ４１との組み合わせによってハンドル振動機能及び送風機能の両方を実現していたが、ここではプロペラ５１の代わりに３枚の羽根部材６１ａ，６１ｂ，６１ｃを用いて、上記２つの機能を実現している。即ち、３枚の羽根部材６１ａ，６１ｂ，６１ｃは、プロペラにおける１枚の羽根に相当するような板状構造物であり、図１０，図１１に示されるように羽根本体６２と嵌合部６３（連結部）とを備えている。３枚の羽根部材６１ａ，６１ｂ，６１ｃの大きさ、材質、重さ等はみな等しくなっている。嵌合部６３は羽根本体６２の基端部に設けられ、モータ４１の回転軸４２に嵌挿可能な嵌合孔６３ａを有している。回転軸４２の断面形状（回転軸４２を軸線方向に直交する面で切ったときの断面の形状）は円形状であり、同様に嵌合孔６３ａも断面形状が円形状となっている。そして、３枚の羽根部材６１ａ，６１ｂ，６１ｃは、いずれも回転軸４２に対して着脱可能となっているばかりでなく、回転軸４２の周方向に沿って位置移動可能となっている。なお、羽根部材６１ａ，６１ｂ，６１ｃを嵌挿した状態の回転軸４２には、さらに羽根部材脱落防止部材であるゴム製の回転軸キャップ６４が装着されるようになっている。
【００８３】
次に、本実施形態のハンドルユニット１１の使用方法について述べる。
【００８４】
図１２（ａ）には、３枚の羽根部材６１ａ，６１ｂ，６１ｃを回転軸４２に連結し、それら同士を均等な角度をもって配置した態様（便宜上「第１の態様」と呼ぶ。）が示されている。即ち、羽根部材６１ａと羽根部材６１ｂとがなす角度θ１、羽根部材６１ｂと羽根部材６１ｃとがなす角度θ２、羽根部材６１ｃと羽根部材６１ａとがなす角度θ３が、いずれも１２０°となっている。この態様では回転軸４２を基準とした全体の重量バランスがとれた状態となるので、３枚の羽根部材６１ａ，６１ｂ，６１ｃの回転によって主に風のみを発生させることができる。即ち、第１の態様ではモータ４１及び羽根部材６１ａ，６１ｂ，６１ｃの組み合わせは送風手段としてのみ機能する。
【００８５】
図１２（ｂ）には、３枚の羽根部材６１ａ，６１ｂ，６１ｃのうちの１枚（羽根部材６１ｃ）を取り外した態様（便宜上「第２の態様」と呼ぶ。）が示されている。この態様では、回転軸４２を基準とした全体の重量バランスが崩れた状態となるので、モータ４１の駆動により２枚の羽根部材６１ａ，６１ｂが回転するとブレが生じ、風に加えて振動が発生するようになっている。即ち、第２の態様では、モータ４１及び羽根部材６１ａ，６１ｂ，６１ｃの組み合わせは、ハンドル振動手段及び送風手段として機能する。
【００８６】
図１２（ｃ）には、３枚の羽根部材６１ａ，６１ｂ，６１ｃのうちの１枚（羽根部材６１ｃ）を、取り外すことなく回転軸４２の周方向に沿って反時計回り方向に３０°移動させた態様（便宜上「第３の態様」と呼ぶ。）が示されている。この態様では、羽根部材６１ａと羽根部材６１ｂとがなす角度θ１は１２０°となっている。羽根部材６１ｂと羽根部材６１ｃとがなす角度θ２は１５０°となっている。羽根部材６１ｃと羽根部材６１ａとがなす角度θ３は９０°となっている。従って、回転軸４２を基準とした全体の重量バランスは崩れており、モータ４１の駆動により３枚の羽根部材６１ａ，６１ｂ，６１ｃが回転するとブレが生じ、風に加えて振動が発生するようになっている。即ち、第３の態様では、モータ４１及び羽根部材６１ａ，６１ｂ，６１ｃの組み合わせは、ハンドル振動手段及び送風手段として機能する。
【００８７】
以上のように本実施形態によれば、モータ４１及び羽根部材６１ａ，６１ｂ，６１ｃの組み合わせにより風及び振動の発生が可能なため、ハンドルユニット１１の交換を伴わずに、振動の態様（即ち振動の強さや周期など）や振動の有無を任意に選択することができる。さらに、モータ４１及び羽根部材６１ａ，６１ｂ，６１ｃの組み合わせは、ハンドル振動手段及び送風手段を兼ねるものであるため、ハンドル振動手段及び送風手段をそれぞれ別個にした場合に比べて、コンパクトに構成することが可能である。従って、かかるモータ４１及び羽根部材６１ａ，６１ｂ，６１ｃについては、ハンドルユニット１１内部の限られたスペースに困難なく収容でき、それゆえハンドルユニット１１全体の大型化を回避することができる。
【００８８】
［第６の実施の形態］
次に、図１３〜図１５に基づいて第６の実施形態のパチンコ機用ハンドルユニット１１を説明する。ここでは、第２の実施形態のハンドルユニット１１と相違する構成（ハンドルキャップ１５Ａの構成、モータ４１の固定位置）について説明する一方、共通する構成については同じ部材番号を付すのみとし、詳細な説明を省略するものとする。
【００８９】
図１３〜図１５に示されるように、この実施形態のハンドルキャップ１５Ａは、基本的に第１キャップ部材７１及び第２キャップ部材７２という２つの部材によって構成されている点で、基本的に１つの部材からなる第１の実施形態のハンドルキャップ１５とは相違する。略半球状に形成された第１キャップ部材７１はその上面に平坦部７３を有していて、そこにはモータ配置用の丸孔７４が設けられている。平坦部７３において丸孔７４の周縁部位には、モータ４１の固定のためのねじ７６が挿通される複数のねじ孔７５が形成されている。また、第２キャップ部材７２は平坦部７３の上面に取り付けられ、これにより平坦部７３が全体的に覆い隠されるようになっている。なお、第１キャップ部材７１には吸気孔３７が複数設けられる一方、第２キャップ部材７２には吸気孔３７が設けられていない（図１５参照）。
【００９０】
そして本実施形態では、図１３等に示されるように、モータ４１の回転軸４２を下向き（ユニット基端部向き）に配置している。また、モータホルダ４３のねじ挿通部４４を丸孔７４の周縁部位に支持させ、かつ、ねじ孔７５にねじ７６を挿通させて、モータホルダ４３を平坦部７３に固定している。つまり本実施形態では、ハンドルキャップ１５Ａ内側の空間部２７に配置されたモータ４１が、モータホルダ４３を介してハンドルキャップ１５Ａに固定されている。なお、ここではボス部３３は不要であるため省略されている。
【００９１】
そして、本実施形態のハンドルユニット１１であっても、第１の実施形態と同様の作用効果（即ち先に列挙した（１）、（２）、（３）の作用効果）を奏することができる。また、上記のように構成されたハンドルユニット１１では、プロペラ５２の回転によって発生した振動は、モータ４１、モータホルダ４３を介して第１キャップ部材７１の平坦部７３に伝達し、さらにはハンドルキャップ１５Ａに全体的に伝達した後、遊技者の手によって感知される。なお、第１の実施形態に比べて振動発生源であるプロペラ５２が遊技者の掌に近くなる結果、振動伝達経路自体が短くなる。以上のことから、遊技者の掌に対して振動を効率よく的確に伝達することができる。
【００９２】
なお、本発明の実施形態は以下のように変更してもよい。
【００９３】
・図１６に示される別例のように構成してもよい。上記第５の実施形態ではモータ４１の回転軸４２及びその回転軸４２に対する嵌合孔６３ａの断面形状が円形状であったが、ここでは非円形状（具体的には正六角形状）とされている。このような断面形状であると、羽根部材６１ａ，６１ｂ，６１ｃを回転軸４２の周方向に沿って６０°刻みで移動させることができる。また、移動後の位置において羽根部材６１ａ，６１ｂ，６１ｃを確実に保持することができる。勿論、回転軸４２及び嵌合孔６３ａの断面形状は、正六角形状以外の多角形状であっても構わない。例えば、断面正八角形状であれば、羽根部材６１ａ，６１ｂ，６１ｃを回転軸４２の周方向に沿って４５°刻みで移動させることができる。断面正十二角形状であれば、羽根部材６１ａ，６１ｂ，６１ｃを回転軸４２の周方向に沿って３０°刻みで移動させることができる。
【００９４】
・例えば、各実施形態においてモータ４１の回転方向を逆に設定することにより、ユニット基端部からユニット先端部に向かって流れる風を発生させるようにしてもよい。
【００９５】
・図１７に示されるように、第１の実施形態の特徴的構成と第２の実施形態の特徴的構成とを併せ持つようなプロペラ５２Ａを用いてハンドルユニット１１を構成してもよい。例えば、１枚の鉄製の羽根５２ａと、２枚のアルミニウム製の羽根５２ｂ，５２ｃとを有する第２の実施形態において、羽根５２ｂ，５２ｃの先端部を除去し、その長さを羽根５２ａよりも相対的に短くする。この構成とすれば、材料及び大きさを不均一にしたことの相乗効果により、いっそう大きな振動を得ることが可能である。
【００９６】
・本発明はパチンコ機の打球発射装置に具体化されるにとどまらず、パチンコ機以外の遊技機における打球発射装置として具体化されてもよい。
【００９７】
次に、特許請求の範囲に記載された技術的思想のほかに、前述した実施形態によって把握される技術的思想を以下に列挙する。
【００９８】
（１）前記羽根付き回転体は前記羽根を１つのみを有することを特徴とする請求項１に記載の遊技機の打球発射装置。
【００９９】
（２）前記ハンドルユニットはユニット内外を連通する複数の孔を有することを特徴とする請求項１乃至５のいずれか１項に記載の遊技機の打球発射装置。
【０１００】
（３）前記モータは前記カバー部材に取り付けられていることを特徴とする請求項１乃至５のいずれか１項に記載の遊技機の打球発射装置。
【０１０１】
（４）前記カバー部材はユニット内外を連通する吸気孔を有する一方、前記本体部はユニット内外を連通する排気孔を有することを特徴とする請求項１乃至５のいずれか１項に記載の遊技機の打球発射装置。
【０１０２】
（５）請求項４または５において、前記複数の羽根部材は、羽根本体と、その羽根本体の基端部に設けられ、前記回転軸に嵌合される嵌合孔を持つ嵌合部とを有することを特徴とする遊技機の打球発射装置。
【０１０３】
（６）遊技機前面側に着脱可能に接続される本体部と、内側に空間部を有するとともに前記本体部の遊技者側面を覆うカバー部材とを含むハンドルユニットを備えた遊技機の打球発射装置において、回転軸を有するモータと、前記回転軸に連結され、前記モータの駆動により回転して振動を発生する偏心おもりとを前記ハンドルユニットの内部に備え、前記偏心おもりは回転によって風を発生させる機能を有することを特徴とする遊技機の打球発射装置。
【０１０４】
【発明の効果】
以上詳述したように、請求項１〜５に記載の発明によれば、ハンドルユニットの大型化を伴うことなしに、遊技者の興趣を高めることができかつ遊技者が遊技を快適に行うことができる遊技機の打球発射装置を提供することができる。
【図面の簡単な説明】
【図１】本発明を具体化したパチンコ機用ハンドルユニットを備えるパチンコ機の正面図。
【図２】第１の実施形態のハンドルユニットを示す斜視図。
【図３】第１の実施形態のハンドルユニットを示す縦断面図。
【図４】第１の実施形態のハンドルユニットを示す平面図。
【図５】第１の実施形態のハンドルユニットを構成するプロペラを示す平面図。
【図６】第２の実施形態のハンドルユニットを示す縦断面図。
【図７】第２の実施形態のハンドルユニットを構成するプロペラを示す平面図。
【図８】第３の実施形態のハンドルユニットを構成するプロペラを示す平面図。
【図９】第４の実施形態のハンドルユニットを構成するプロペラを示す平面図。
【図１０】第５の実施形態のハンドルユニットを構成するモータ、羽根部材、キャップを示す分解断面図。
【図１１】第５の実施形態のハンドルユニットを示す縦断面図。
【図１２】（ａ）は第５の実施形態の羽根部材を第１の態様としたときの平面図、（ｂ）は同じく羽根部材を第２の態様としたときの平面図、（ｃ）は同じく羽根部材を第３の態様としたときの平面図。
【図１３】第６の実施形態のハンドルユニットを示す縦断面図。
【図１４】第６の実施形態のハンドルユニットを構成するモータ、プロペラ、ハンドルキャップを示す分解断面図。
【図１５】第６の実施形態のハンドルユニットを示す平面図。
【図１６】（ａ），（ｂ）は別例において回転軸と羽根部材とを示す平断面図。
【図１７】別例のプロペラを示す平面図。
【符号の説明】
１１…ハンドルユニット
１２…本体部
１５，１５Ａ…カバー部材としてのハンドルキャップ
２７…空間部
３７…孔としての吸気孔
３８…孔としての排気孔
４１…モータ
４２…回転軸
５１，５２，５２Ａ，５３，５４，６１…羽根付き回転体としてのプロペラ
５１ａ，５１ｂ，５１ｃ，５２ａ，５２ｂ，５２ｃ，５３ａ，５３ｂ，５３ｃ，５４ａ，５４ｂ…羽根
６１ａ，６１ｂ，６１ｃ…羽根部材
Ｇ…遊技機の打球発射装置
Ｏ…回転中心
Ｐ…重心
θ１，θ２，θ３…角度
【図１】
2004215880.tif 000003
【図２】
2004215880.tif 000004
【図３】
2004215880.tif 000005
【図４】
2004215880.tif 000006
【図５】
2004215880.tif 000007
【図６】
2004215880.tif 000008
【図７】
2004215880.tif 000009
【図８】
2004215880.tif 000010
【図９】
2004215880.tif 000011
【図１０】
2004215880.tif 000012
【図１１】
2004215880.tif 000013
【図１２】
2004215880.tif 000014
【図１３】
2004215880.tif 000015
【図１４】
2004215880.tif 000016
【図１５】
2004215880.tif 000017
【図１６】
2004215880.tif 000018
【図１７】
2004215880.tif 000019